(57)【要約】【課題】耐光性及び耐オゾン性に優れた画像を記録可能であるとともに、間欠吐出安定性に優れたインクジェット用のインクを提供する。【解決手段】色材及び水溶性有機溶剤を含有するインクジェット用のインクである。色材が、下記一般式（Ｉ）で表される化合物であり、水溶性有機溶剤が、エチレン尿素及び炭素数が４以上６以下のアルカンジオールを含み、インク全質量を基準とした、色材の含有量Ａ（質量％）、エチレン尿素の含有量Ｂ（質量％）、及び炭素数が４以上６以下のアルカンジオールの含有量Ｃ（質量％）が、０．２０≦Ｂ／Ａ≦１０．０及び０．１０≦Ｃ／Ａ≦１０．０の関係を満たす。2014051648.tif 000067【選択図】なし【特許請求の範囲】
【請求項１】
色材及び水溶性有機溶剤を含有するインクジェット用のインクであって、
前記色材が、下記一般式（Ｉ）で表される化合物であり、
前記水溶性有機溶剤が、エチレン尿素及び炭素数が４以上６以下のアルカンジオールを含み、
インク全質量を基準とした、前記色材の含有量Ａ（質量％）、前記エチレン尿素の含有量Ｂ（質量％）、及び前記炭素数が４以上６以下のアルカンジオールの含有量Ｃ（質量％）が、０．２０≦Ｂ／Ａ≦１０．０及び０．１０≦Ｃ／Ａ≦１０．０の関係を満たすことを特徴とするインク。
2014051648.tif 000063
（前記一般式（Ｉ）中、Ｒ1は１価の基を表し、Ｒ2は−ＯＲ3又は−ＮＨＲ4を表し（Ｒ3及びＲ4は水素原子又は１価の基を表す）、Ｒ5はアルキル基、アリール基、又は１価のトリアジン環基を表し、Ｒ6はアリーレン基又は２価のヘテロ環基を表し、Ｒ7は２価の連結基を表し、ｍは０又は１を表す）
【請求項２】
前記色材が、下記一般式（II）で表される化合物である請求項１に記載のインク。
2014051648.tif 000064
（前記一般式（II）中、Ｒ1は１価の基を表し、Ｒ2は−ＯＲ3又は−ＮＨＲ4を表し（Ｒ3及びＲ4は水素原子又は１価の基を表す）、Ｒ6はアリーレン基又は２価のヘテロ環基を表し、Ｒ7は２価の連結基を表し、ｍは０又は１を表し、Ｒ8はイオン性基を表し、ｎは１又は２を表す）
【請求項３】
前記炭素数が４以上６以下のアルカンジオールが、１，５−ペンタンジオールである請求項１又は２に記載のインク。
【請求項４】
前記水溶性有機溶剤が、さらに、下記一般式（III）で表される化合物を含む請求項１乃至３のいずれか１項に記載のインク。
2014051648.tif 000065
（前記一般式（III）中、Ｒ10は、それぞれ独立にヒドロキシアルキル基を表し、Ｒ11は−Ｓ（＝Ｏ）−又は−Ｓ（＝Ｏ）2−を表す）
【請求項５】
下記一般式（IV）で表される界面活性剤をさらに含有し、インク全質量を基準とした、前記一般式（IV）で表される界面活性剤の含有量Ｄ（質量％）、前記エチレン尿素の含有量Ｂ（質量％）、及び前記炭素数が４以上６以下のアルカンジオールの含有量Ｃ（質量％）が、Ｄ／（Ｂ＋Ｃ）≦０．４０の関係を満たす請求項１乃至４のいずれか１項に記載のインク。
2014051648.tif 000066
（前記一般式（IV）中、４．０≦ｘ＋ｙ≦８．０である）
【請求項６】
インクと、前記インクを収容するインク収容部とを備えたインクカートリッジであって、
前記インクが、請求項１乃至５のいずれか１項に記載のインクであることを特徴とするインクカートリッジ。
【請求項７】
インクをインクジェット方式の記録ヘッドから吐出して記録媒体に画像を記録するインクジェット記録方法であって、
前記インクが、請求項１乃至５のいずれか１項に記載のインクであることを特徴とするインクジェット記録方法。
【発明の詳細な説明】
【技術分野】
【０００１】
本発明は、インク、インクカートリッジ、及びインクジェット記録方法に関する。
【背景技術】
【０００２】
インクジェット記録方法は、インク小滴を普通紙などの記録媒体に付与して画像を形成する記録方法であり、その低価格化、記録速度の向上により、急速に普及が進んでいる。一般に、インクジェット記録方法で得られた記録物は、銀塩写真と比較してその画像の堅牢性が低い。特に、記録物が、光、湿度、熱、空気中に存在するオゾンガスなどの環境ガスに長時間さらされた際に、記録物の色材が劣化し、画像の色調変化や褪色が発生しやすいといった問題がある。
【０００３】
カラーインデックス（Ｃ．Ｉ．）番号が付与されている従来公知の色材では、インクジェット用のインクに要求される画像の光学濃度（発色性）と堅牢性とを両立させることは困難であるため、新規の構造を有する色材について広く検討されている。例えば、光学濃度が良好であり、かつ、画像の耐光性及び耐オゾン性に優れたビスアゾ化合物が提案されている（特許文献１参照）。
【０００４】
また、間欠吐出安定性が向上したインクとして、１，５−ペンタンジオールと、グリセリン、エチレングリコール及びエチレン尿素などの保湿剤を含有するインクが提案されている（特許文献２参照）。さらに、マゼンタ色材である特定のアゾ化合物と、エチレンオキサイド基の付加モル数ｘ＋ｙの平均値が０≦ｘ＋ｙ≦８．０であるアセチレングリコール系の界面活性剤と、アルカンジオールとを用いたインクが提案されている（特許文献３参照）。特許文献３で提案されたインクは、間欠吐出安定性が良好であるとされている。
【先行技術文献】
【特許文献】
【０００５】
【特許文献１】特開２００４−０８３９０３号公報
【特許文献２】特開２００７−０３９６８０号公報
【特許文献３】特開２０１１−２１３８４５号公報
【発明の概要】
【発明が解決しようとする課題】
【０００６】
本発明者らが、特許文献１に記載のビスアゾ化合物を含有するインクを用いて画像を記録したところ、光学濃度の良好な画像を得ることができた。しかし、画像の耐光性及び耐オゾン性については、近年求められるレベルには達していなかった。また、特許文献１に記載のビスアゾ化合物を含有するインクに、特許文献２で提案された１，５−ペンタンジオールをさらに添加しても、十分な性能を有するインクとすることはできなかった。同様に、特許文献１に記載されたビスアゾ化合物を含有するインクに、特許文献３で提案された特定のアセチレングリコール系の界面活性剤及びアルカンジオールを添加しても、近年要求されるレベルの性能を有するインクとすることはできなかった。
【０００７】
したがって、本発明の目的は、耐光性及び耐オゾン性に優れた画像を記録可能であるとともに、間欠吐出安定性に優れたインクジェット用のインクを提供することにある。また、本発明の別の目的は、前記インクを用いたインクカートリッジ、及びインクジェット記録方法を提供することにある。
【課題を解決するための手段】
【０００８】
上記の目的は以下の本発明によって達成される。すなわち、本発明によれば、色材及び水溶性有機溶剤を含有するインクジェット用のインクであって、前記色材が、下記一般式（Ｉ）で表される化合物であり、前記水溶性有機溶剤が、エチレン尿素及び炭素数が４以上６以下のアルカンジオールを含み、インク全質量を基準とした、前記色材の含有量Ａ（質量％）、前記エチレン尿素の含有量Ｂ（質量％）、及び前記炭素数が４以上６以下のアルカンジオールの含有量Ｃ（質量％）が、０．２０≦Ｂ／Ａ≦１０．０及び０．１０≦Ｃ／Ａ≦１０．０の関係を満たすことを特徴とするインクが提供される。
【０００９】
2014051648.tif 000002
（前記一般式（Ｉ）中、Ｒ1は１価の基を表し、Ｒ2は−ＯＲ3又は−ＮＨＲ4を表し（Ｒ3及びＲ4は水素原子又は１価の基を表す）、Ｒ5はアルキル基、アリール基、又は１価のトリアジン環基を表し、Ｒ6はアリーレン基又は２価のヘテロ環基を表し、Ｒ7は２価の連結基を表し、ｍは０又は１を表す）
【発明の効果】
【００１０】
本発明によれば、耐光性及び耐オゾン性に優れた画像を記録可能であるとともに、間欠吐出安定性に優れたインクジェット用のインクを提供することができる。また、本発明によれば、このインクを用いたインクカートリッジ、及びインクジェット記録方法を提供することができる。
【図面の簡単な説明】
【００１１】
【図１】本発明のインクカートリッジの一実施形態を模式的に示す断面図である。
【図２】本発明のインクジェット記録方法に用いられるインクジェット記録装置の一例を模式的に示す図であり、（ａ）はインクジェット記録装置の主要部の斜視図、（ｂ）はヘッドカートリッジの斜視図である。
【発明を実施するための形態】
【００１２】
以下に、好ましい実施の形態を挙げて、さらに本発明を詳細に説明する。なお、本発明においては、化合物が塩である場合は、インク中では塩はイオンに解離して存在しているが、便宜上、「塩を含有する」と表現する。また、インクジェット用のインクのことを、単に「インク」と記載することがある。
【００１３】
本発明者らは、一般式（Ｉ）で表される化合物、エチレン尿素、及び炭素数４乃至６のアルカンジオールを所定の比率で含有させることで、間欠吐出安定性を満足しながら、耐光性及び耐オゾン性に優れる画像を記録可能なインクとなることを見出した。
【００１４】
先ず、間欠吐出安定性について説明する。インクジェット記録方法で画像を形成する際、記録ヘッドのある吐出口から一定時間インクが吐出されない状態が続くと、吐出口からのインク中の水の蒸発が進行する。その後、前記吐出口から次の１滴目のインクを吐出させようとすると、インクの吐出が不安定になる場合や吐出できない場合が生じる。かかる現象が生じる理由は以下の通りである。インク中の水が吐出口から蒸発するにつれ、吐出口近傍に存在するインク中の色材の濃度は相対的に高くなる。一方、吐出口から離れたノズル内部に存在するインク中の色材の濃度は、吐出口近傍と比較すると相対的に低くなる。したがって、吐出口近傍とノズル内部との間には色材の濃度勾配が生じる。これに加えて、色材の濃度が相対的に高い吐出口近傍においては、蒸発により水が減少するので、水性媒体が色材を溶解する能力が低下し、色材が溶解状態を維持できなくなって析出や固化を起こし、吐出口が塞がれるようになる。その結果としてインクが正常に吐出されなくなり、間欠吐出安定性が低下する。本発明のインクに用いる色材である、一般式（Ｉ）で表される化合物は、その分子構造を凝集しやすいものとすることによって、記録される画像の堅牢性が高められている。このような色材を含有するインクは、吐出口近傍において蒸発により水が減少すると、析出や固化が特に生じやすく、間欠吐出安定性が低くなりやすい。
【００１５】
エチレン尿素には保湿作用があるため、エチレン尿素を含有するインクの場合、吐出口からの水の蒸発は、エチレン尿素を含有しないインクと比べて遅くなり、色材の濃度勾配が生じにくくなる。ただし、多少の濃度勾配は生じる。ここで、色材との親和性が低い水溶性有機溶剤がインクに含有されていると、水の蒸発に伴い、吐出口近傍における前記水溶性有機溶剤の濃度も相対的に高くなる。すると、前記水溶性有機溶剤への親和性が低い色材は、記録ヘッドの吐出口近傍から、水が相対的に多く、より安定な溶解状態となりやすい、ノズル内部（共通液室）の方向に移動する（後退現象）ようになり、色材の析出や固化が生じにくくなる。本発明者らの検討の結果、一般式（Ｉ）で表される化合物との親和性が低い水溶性有機溶剤として、炭素数が４以上６以下のアルカンジオールを使用することで、間欠吐出安定性を高められることがわかった。アルカンジオールの炭素数が３以下であると後退現象が生じにくくなるため、間欠吐出安定性が不十分であり、炭素数が７以上であるとインクの粘度が過度に高くなりやすく、やはり間欠吐出安定性が不十分となる。
【００１６】
次に、耐光性及び耐オゾン性について説明する。上述の通り、エチレン尿素には保湿作用があるため、エチレン尿素を含有するインクの場合、記録媒体に付与されたインクからの水の蒸発はエチレン尿素を含有しないインクと比べて遅くなる。また、エチレン尿素は常温（２５℃）で固体であるため、水の蒸発が進行すると、インク中の水性媒体が色材を溶解する能力が急激に低下する。また、一般式（Ｉ）で表される化合物を溶解させづらい、つまり、一般式（Ｉ）で表される化合物に対する貧溶媒としての作用を示す前記アルカンジオールが存在しているため、水の蒸発に伴う、水性媒体が色材を溶解する能力の低下はさらに増幅される。したがって、水の蒸発が、エチレン尿素の保湿作用による水の保持力を超えると、その時点から、エチレン尿素と炭素数４以上６以下のアルカンジオールとの併用による相乗作用によって、一般式（Ｉ）で表される化合物が急激に強固に凝集するようになる。このようなメカニズムから、記録媒体において色材の強固な凝集状態が形成され、耐光性及び耐オゾン性が向上した画像が記録されると考えられる。なお、アルカンジオールの炭素数が３以下であると、貧溶媒としての作用が弱いため、色材の凝集が生じにくく、耐光性及び耐オゾン性が不十分となる。
【００１７】
なお、エチレン尿素よりも保湿作用が高い保湿剤として、尿素がある。しかし、エチレン尿素に代えて尿素を用いても、耐光性及び耐オゾン性を向上させる効果は得られない。この理由は、尿素の保湿作用が高すぎるので、一般式（Ｉ）で表される化合物の強固な凝集状態が形成されにくくなるためであると推測される。
【００１８】
上述のメカニズムにより、間欠吐出安定性を満足しながら、耐光性及び耐オゾン性に優れる画像を記録可能なインクとするためには、色材と、エチレン尿素や炭素数４以上６以下のアルカンジオールと、の質量比率が以下の関係を満たしていることが重要である。
【００１９】
先ず、インク全質量を基準とした、一般式（Ｉ）で表される化合物（色材）の含有量Ａ（質量％）、及びエチレン尿素の含有量Ｂ（質量％）が、０．２０≦Ｂ／Ａ≦１０．０の関係を満たすことを要する。Ｂ／Ａの値が０．２０未満であると、色材に対してエチレン尿素が少ないため、記録媒体において色材が凝集しにくく、画像の耐光性及び耐オゾン性が不十分になる。また、保湿作用がやや低いため、優れたレベルの間欠吐出安定性を十分に得ることができない場合がある。一方、Ｂ／Ａの値が１０．０を超えると、エチレン尿素による保湿作用が高くなりすぎるため、色材の強固な凝集状態が急激に形成されにくく、画像の耐光性及び耐オゾン性が不十分になる。また、インクの粘度が高くなりやすいため、優れたレベルの間欠吐出安定性を十分に得ることができない場合がある。
【００２０】
さらに、インク全質量を基準とした、一般式（Ｉ）で表される化合物（色材）の含有量Ａ（質量％）、及び炭素数４以上６以下のアルカンジオールの含有量Ｃ（質量％）が、０．１０≦Ｃ／Ａ≦１０．０の関係を満たすことを要する。Ｃ／Ａの値が０．１０未満であると、色材に対して前記アルカンジオールが少ないため、記録媒体において色材が凝集しにくく、画像の耐光性及び耐オゾン性が不十分になる。また、後退現象もやや生じにくくなるため、優れたレベルの間欠吐出安定性を十分に得ることができない場合がある。一方、Ｃ／Ａの値が１０．０を超えると、記録媒体へ浸透しやすい性質を有する、前記アルカンジオールの含有量が多くなりすぎて、色材を凝集させる以前にインクが記録媒体に浸透しやすくなるため、画像の耐光性及び耐オゾン性が不十分になる。また、インクの粘度が高くなりやすいため、優れたレベルの間欠吐出安定性を十分に得ることができない場合がある。
【００２１】
＜インク＞
以下、本発明のインクを構成する成分やインクの物性について詳細に説明する。
【００２２】
（色材：一般式（Ｉ）で表される化合物）
本発明のインクは、下記一般式（Ｉ）で表される化合物を色材（染料）として含有する。インク中の一般式（Ｉ）で表される化合物（色材）の含有量Ａ（質量％）は、インク全質量を基準として、０．１質量％以上１０．０質量％以下であることが好ましく、２．０質量％以上であることがさらに好ましく、２．５質量％以上であることが特に好ましい。
【００２３】
2014051648.tif 000003
（前記一般式（Ｉ）中、Ｒ1は１価の基を表し、Ｒ2は−ＯＲ3又は−ＮＨＲ4を表し（Ｒ3及びＲ4は水素原子又は１価の基を表す）、Ｒ5はアルキル基、アリール基、又は１価のトリアジン環基を表し、Ｒ6はアリーレン基又は２価のヘテロ環基を表し、Ｒ7は２価の連結基を表し、ｍは０又は１を表す）
【００２４】
一般式（Ｉ）中のＲ1は、１価の基を表す。１価の基としては、ハロゲン原子、アルキル基、シクロアルキル基、アラルキル基、アルケニル基、アルキニル基、アリール基、ヘテロ環基、シアノ基、ヒドロキシ基、ニトロ基、カルボキシ基（塩型でもよい）、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アルキルアミノ基、アニリノ基、アシルアミノ基、アミノカルボニルアミノ基、アルコキシカルボニルアミノ基、アリールオキシカルボニルアミノ基、スルファモイルアミノ基、アルキルスルホニルアミノ基、アリールスルホニルアミノ基、メルカプト基、アルキルチオ基、アリールチオ基、ヘテロ環チオ基、スルファモイル基、スルホン酸基（塩型でもよい）、アルキルスルフィニル基、アリールスルフィニル基、アルキルスルホニル基、アリールスルホニル基、アシル基、アリールオキシカルボニル基、アルコキシカルボニル基、カルバモイル基、イミド基、ホスフィノ基、ホスフィニル基、ホスフィニルオキシ基、ホスフィニルアミノ基、シリル基を挙げることができる。
【００２５】
ハロゲン原子としては、フッ素原子、塩素原子、臭素原子、ヨウ素原子などを挙げることができる。
【００２６】
アルキル基には、置換又は無置換のアルキル基が含まれる。置換又は無置換のアルキル基としては、炭素数１乃至３０のアルキル基が好ましい。置換基としては、前述の１価の基の具体例として挙げたものと同様のものを挙げることができる。それらの中でも、ヒドロキシ基、アルコキシ基、シアノ基、ハロゲン原子、スルホン酸基（塩型でもよい）、カルボキシ基（塩型でもよい）が好ましい。アルキル基としては、メチル、エチル、ブチル、ｔ−ブチル、ｎ−オクチル、エイコシル、２−クロロエチル、ヒドロキシエチル、シアノエチル、４−スルホブチル、４−カルボキシブチルなどを挙げることができる。
【００２７】
シクロアルキル基には、置換又は無置換のシクロアルキル基が含まれる。置換又は無置換のシクロアルキル基としては、炭素数５乃至３０のシクロアルキル基が好ましい。シクロアルキル基としては、シクロヘキシル、シクロペンチル、４−ｎ−ドデシルシクロヘキシルなどを挙げることができる。
【００２８】
アラルキル基には、置換又は無置換のアラルキル基が含まれる。置換又は無置換のアラルキル基としては、炭素数７乃至３０のアラルキル基が好ましい。アラルキル基としては、ベンジル、２−フェネチルなどを挙げることができる。
【００２９】
アルケニル基には、直鎖、分岐、又は環状の、置換又は無置換のアルケニル基が含まれる。置換又は無置換のアルケニル基としては、炭素数２乃至３０のアルケニル基が好ましい。アルケニル基としては、ビニル、アリル、プレニル、ゲラニル、オレイル、２−シクロペンテン−１−イル、２−シクロヘキセン−１−イルなどを挙げることができる。
【００３０】
アルキニル基には、置換又は無置換のアルキニル基が含まれる。置換又は無置換のアルキニル基としては、炭素数２乃至３０のアルキニル基が好ましい。アルキニル基としては、エチニル、プロパルギルなどを挙げることができる。
【００３１】
アリール基には、置換又は無置換のアリール基が含まれる。置換又は無置換のアリール基としては、炭素数６乃至３０のアリール基が好ましい。アリール基としては、フェニル、ｐ−トリル、ナフチル、ｍ−クロロフェニル、ｏ−ヘキサデカノイルアミノフェニルなどを挙げることができる。
【００３２】
ヘテロ環基には、置換又は無置換の、芳香族又は非芳香族のヘテロ環化合物から１個の水素原子を取り除いた１価の基が含まれる。置換又は無置換のヘテロ環基としては、炭素数３乃至３０の、５員又は６員の芳香族ヘテロ環基が好ましい。このような芳香族ヘテロ環基としては、２−フリル、２−チエニル、２−ピリミジニル、２−ベンゾチアゾリルなどを挙げることができる。
【００３３】
アルコキシ基には、置換又は無置換のアルコキシ基が含まれる。置換又は無置換のアルコキシ基としては、炭素数１乃至３０のアルコキシ基が好ましい。アルコキシ基としては、メトキシ、エトキシ、イソプロポキシ、ｎ−オクチルオキシ、メトキシエトキシ、ヒドロキシエトキシ、３−カルボキシプロポキシなどを挙げることができる。
【００３４】
アリールオキシ基には、置換又は無置換のアリールオキシ基が含まれる。置換又は無置換のアリールオキシ基としては、炭素数６乃至３０のアリールオキシ基が好ましい。アリールオキシ基としては、フェノキシ、２−メチルフェノキシ、４−ｔ−ブチルフェノキシ、３−ニトロフェノキシ、２−テトラデカノイルアミノフェノキシなどを挙げることができる。
【００３５】
シリルオキシ基としては、炭素数３乃至２０のシリルオキシ基が好ましい。シリルオキシ基としては、トリメチルシリルオキシ、ｔ−ブチルジメチルシリルオキシなどを挙げることができる。
【００３６】
ヘテロ環オキシ基には、置換又は無置換のヘテロ環オキシ基が含まれる。置換又は無置換のヘテロ環オキシ基としては、炭素数２乃至３０のヘテロ環オキシ基が好ましい。ヘテロ環オキシ基としては、１−フェニルテトラゾール−５−オキシ、２−テトラヒドロピラニルオキシなどを挙げることができる。
【００３７】
アシルオキシ基としては、ホルミルオキシ基、炭素数２乃至３０の置換又は無置換のアルキルカルボニルオキシ基、炭素数６乃至３０の置換又は無置換のアリールカルボニルオキシ基が好ましい。アシルオキシ基としては、ホルミルオキシ、アセチルオキシ、ピバロイルオキシ、ステアロイルオキシ、ベンゾイルオキシ、ｐ−メトキシフェニルカルボニルオキシなどを挙げることができる。
【００３８】
カルバモイルオキシ基には、置換又は無置換のカルバモイルオキシ基が含まれる。置換又は無置換のカルバモイルオキシ基としては、炭素数１乃至３０のカルバモイルオキシ基が好ましい。カルバモイルオキシ基としては、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシなどを挙げることができる。
【００３９】
アルコキシカルボニルオキシ基には、置換又は無置換のアルコキシカルボニルオキシ基が含まれる。置換又は無置換のアルコキシカルボニルオキシ基としては、炭素数２乃至３０のアルコキシカルボニルオキシ基が好ましい。アルコキシカルボニルオキシ基としては、メトキシカルボニルオキシ、エトキシカルボニルオキシ、ｔ−ブトキシカルボニルオキシ、ｎ−オクチルカルボニルオキシなどを挙げることができる。
【００４０】
アリールオキシカルボニルオキシ基には、置換又は無置換のアリールオキシカルボニルオキシ基が含まれる。置換又は無置換のアリールオキシカルボニルオキシ基としては、炭素数７乃至３０のアリールオキシカルボニルオキシ基が好ましい。アリールオキシカルボニルオキシ基としては、フェノキシカルボニルオキシ、ｐ−メトキシフェノキシカルボニルオキシ、ｐ−（ｎ−ヘキサデシルオキシ）フェノキシカルボニルオキシなどを挙げることができる。
【００４１】
アルキルアミノ基には、置換又は無置換のアルキルアミノ基が含まれる。置換又は無置換のアルキルアミノ基としては、炭素数１乃至３０のアルキルアミノ基が好ましい。アルキルアミノ基としては、メチルアミノ、ジメチルアミノなどを挙げることができる。
【００４２】
アニリノ基には、置換又は無置換のアニリノ基が含まれる。置換又は無置換のアニリノ基としては、炭素数６乃至３０のアニリノ基が好ましい。アニリノ基としては、アニリノ、Ｎ−メチルアニリノ、ジフェニルアミノなどを挙げることができる。
【００４３】
アシルアミノ基としては、ホルミルアミノ基、炭素数１乃至３０の置換又は無置換のアルキルカルボニルアミノ基、炭素数６乃至３０の置換又は無置換のアリールカルボニルアミノ基が好ましい。アシルアミノ基としては、ホルミルアミノ、アセチルアミノ、ピバロイルアミノ、ラウロイルアミノ、ベンゾイルアミノ、３，４，５−トリ−ｎ−オクチルオキシフェニルカルボニルアミノなどを挙げることができる。
【００４４】
アミノカルボニルアミノ基には、置換又は無置換のアミノカルボニルアミノ基が含まれる。置換又は無置換のアミノカルボニルアミノ基としては、炭素数１乃至３０のアミノカルボニルアミノ基が好ましい。アミノカルボニルアミノ基としては、カルバモイルアミノ、Ｎ，Ｎ−ジメチルアミノカルボニルアミノ、Ｎ，Ｎ−ジエチルアミノカルボニルアミノ、モルホリノカルボニルアミノなどを挙げることができる。
【００４５】
アルコキシカルボニルアミノ基には、置換又は無置換のアルコキシカルボニルアミノ基が含まれる。置換又は無置換のアルコキシカルボニルアミノ基としては、炭素数２乃至３０のアルコキシカルボニルアミノ基が好ましい。アルコキシカルボニルアミノ基としては、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノなどを挙げることができる。
【００４６】
アリールオキシカルボニルアミノ基には、置換又は無置換のアリールオキシカルボニルアミノ基が含まれる。置換又は無置換のアリールオキシカルボニルアミノ基としては、炭素数７乃至３０のアリールオキシカルボニルアミノ基が好ましい。アリールオキシカルボニルアミノ基としては、フェノキシカルボニルアミノ、ｐ−クロロフェノキシカルボニルアミノ、ｍ−（ｎ−オクチルオキシ）フェノキシカルボニルアミノなどを挙げることができる。
【００４７】
スルファモイルアミノ基には、置換又は無置換のスルファモイルアミノ基が含まれる。置換又は無置換のスルファモイルアミノ基としては、炭素数０乃至３０のスルファモイルアミノ基が好ましい。スルファモイルアミノ基としては、スルファモイルアミノ、Ｎ，Ｎ−ジメチルアミノスルホニルアミノ、Ｎ，Ｎ−オクチルアミノスルホニルアミノなどを挙げることができる。
【００４８】
アルキルスルホニルアミノ基には、置換又は無置換のアルキルスルホニルアミノ基が含まれる。置換又は無置換のアルキルスルホニルアミノ基としては、炭素数１乃至３０のアルキルスルホニルアミノ基が好ましい。アルキルスルホニルアミノ基としては、メチルスルホニルアミノ、ブチルスルホニルアミノなどを挙げることができる。
【００４９】
アリールスルホニルアミノ基には、炭素数６乃至３０の置換又は無置換のアリールスルホニルアミノ基が含まれる。置換又は無置換のアリールスルホニルアミノ基としては、炭素数６乃至３０のアリールスルホニルアミノ基が好ましい。アリールスルホニルアミノ基としては、フェニルスルホニルアミノ、２，３，５−トリクロロフェニルスルホニルアミノ、ｐ−メチルフェニルスルホニルアミノなどを挙げることができる。
【００５０】
アルキルチオ基には、置換又は無置換のアルキルチオ基が含まれる。置換又は無置換のアルキルチオ基としては、炭素数１乃至３０のアルキルチオ基が好ましい。アルキルチオ基としては、メチルチオ、エチルチオ、ｎ−ヘキサデシルチオなどを挙げることができる。
【００５１】
アリールチオ基には、置換又は無置換のアリールチオ基が含まれる。置換又は無置換のアリールチオ基としては、炭素数６乃至３０のアリールチオ基が好ましい。アリールチオ基としては、フェニルチオ、ｐ−クロロフェニルチオ、ｍ−メトキシフェニルチオなどを挙げることができる。
【００５２】
ヘテロ環チオ基には、置換又は無置換のヘテロ環チオ基が含まれる。置換又は無置換のヘテロ環チオ基としては、炭素数２乃至３０のヘテロ環チオ基が好ましい。ヘテロ環チオ基としては、２−ベンゾチアゾリルチオ、１−フェニルテトラゾール−５−イルチオなどを挙げることができる。
【００５３】
スルファモイル基には、置換又は無置換のスルファモイル基が含まれる。置換又は無置換のスルファモイル基としては、炭素数０乃至３０のスルファモイル基が好ましい。スルファモイル基としては、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ’−フェニルカルバモイル）スルファモイル）などを挙げることができる。
【００５４】
アルキルスルフィニル基には、置換又は無置換のアルキルスルフィニル基が含まれる。置換又は無置換のアルキルスルフィニル基としては、炭素数１乃至３０のアルキルスルフィニル基が好ましい。アルキルスルフィニル基としては、メチルスルフィニル、エチルスルフィニルなどを挙げることができる。
【００５５】
アリールスルフィニル基には、置換又は無置換のアリールスルフィニル基が含まれる。置換又は無置換のアリールスルフィニル基としては、炭素数６乃至３０のアリールスルフィニル基が好ましい。アリールスルフィニル基としては、フェニルスルフィニル、ｐ−メチルフェニルスルフィニルなどを挙げることができる。
【００５６】
アルキルスルホニル基には、置換又は無置換のアルキルスルホニル基が含まれる。置換又は無置換のアルキルスルホニル基としては、炭素数１乃至３０のアルキルスルホニル基が好ましい。アルキルスルホニル基としては、メチルスルホニル、エチルスルホニルなどを挙げることができる。
【００５７】
アリールスルホニル基には、置換又は無置換のアリールスルホニル基が含まれる。置換又は無置換のアリールスルホニル基としては、炭素数６乃至３０のアリールスルホニル基が好ましい。アリールスルホニル基としては、フェニルスルホニル、ｐ−メチルフェニルスルホニルなどを挙げることができる。
【００５８】
アシル基としては、ホルミル基、炭素数２乃至３０の置換又は無置換のアルキルカルボニル基、炭素数７乃至３０の置換又は無置換のアリールカルボニル基、炭素数４乃至３０の置換又は無置換の、炭素原子でカルボニル基と結合しているヘテロ環カルボニル基が好ましい。アシル基としては、アセチル、ピバロイル、２−クロロアセチル、ステアロイル、ベンゾイル、ｐ−（ｎ−オクチルオキシ）フェニルカルボニル、２―ピリジルカルボニル、２―フリルカルボニルなどを挙げることができる。
【００５９】
アリールオキシカルボニル基には、置換又は無置換のアリールオキシカルボニル基が含まれる。置換又は無置換のアリールオキシカルボニル基としては、炭素数７乃至３０のアリールオキシカルボニル基が好ましい。アリールオキシカルボニル基としては、フェノキシカルボニル、ｏ−クロロフェノキシカルボニル、ｍ−ニトロフェノキシカルボニル、ｐ−（ｔ−ブチル）フェノキシカルボニルなどを挙げることができる。
【００６０】
アルコキシカルボニル基には、置換又は無置換のアルコキシカルボニル基が含まれる。置換又は無置換のアルコキシカルボニル基としては、炭素数２乃至３０のアルコキシカルボニル基が好ましい。アルコキシカルボニル基としては、メトキシカルボニル、エトキシカルボニル、ｔ−ブトキシカルボニル、ｎ−オクタデシルオキシカルボニルなどを挙げることができる。
【００６１】
カルバモイル基には、置換又は無置換のカルバモイル基が含まれる。置換又は無置換のカルバモイル基としては、炭素数１乃至３０のカルバモイル基が好ましい。カルバモイル基としては、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイルなどを挙げることができる。
【００６２】
イミド基には、置換又は無置換のイミド基が含まれる。置換又は無置換のイミド基としては、炭素数４乃至３０のイミド基が好ましい。イミド基としては、スクシンイミド、フタルイミド、グルタルイミド、ヘキサンイミドなどを挙げることができる。
【００６３】
ホスフィノ基には、置換又は無置換のホスフィノ基が含まれる。置換又は無置換のホスフィノ基としては、炭素数２乃至３０のホスフィノ基が好ましい。ホスフィノ基としては、ジメチルホスフィノ、ジフェニルホスフィノ、メチルフェノキシホスフィノなどを挙げることができる。
【００６４】
ホスフィニル基には、置換又は無置換のホスフィニル基が含まれる。置換又は無置換のホスフィニル基としては、炭素数２乃至３０のホスフィニル基が好ましい。ホスフィニル基としては、ホスフィニル、ジオクチルオキシホスフィニル、ジエトキシホスフィニルなどを挙げることができる。
【００６５】
ホスフィニルオキシ基には、置換又は無置換のホスフィニルオキシ基が含まれる。置換又は無置換のホスフィニルオキシ基としては、炭素数２乃至３０のホスフィニルオキシ基が好ましい。ホスフィニルオキシ基としては、ジフェノキシホスフィニルオキシ、ジオクチルオキシホスフィニルオキシなどを挙げることができる。
【００６６】
ホスフィニルアミノ基には、置換又は無置換のホスフィニルアミノ基が含まれる。置換又は無置換のホスフィニルアミノ基としては、炭素数２乃至３０のホスフィニルアミノ基が好ましい。ホスフィニルアミノ基としては、ジメトキシホスフィニルアミノ、ジメチルアミノホスフィニルアミノなどを挙げることができる。
【００６７】
シリル基には、置換又は無置換のシリル基が含まれる。置換又は無置換のシリル基としては、炭素数３乃至３０のシリル基の好ましい。シリル基としては、トリメチルシリル、ｔ−ブチルジメチルシリル、フェニルジメチルシリルなどを挙げることができる。
【００６８】
上述の１価の基の中で水素原子を有するものは、この水素原子が前述の１価の基で置換されていてもよい。そのような置換基としては、アルキルカルボニルアミノスルホニル基、アリールカルボニルアミノスルホニル基、アルキルスルホニルアミノカルボニル基、アリールスルホニルアミノカルボニル基などが挙げられる。その具体例としては、メチルスルホニルアミノカルボニル、ｐ−メチルフェニルスルホニルアミノカルボニル、アセチルアミノスルホニル、ベンゾイルアミノスルホニル基などを挙げることができる。
【００６９】
一般式（Ｉ）中のＲ2は、−ＯＲ3又は−ＮＨＲ4を表す。また、Ｒ3及びＲ4は水素原子又は１価の基を表す。この１価の基としては、前述のＲ1で表される１価の基について例示したものと、好ましいものを含めて同様のものを挙げることができる。Ｒ2としては、−ＯＨ又は−ＮＨ2が好ましく、−ＮＨ2がさらに好ましい。
【００７０】
一般式（Ｉ）中のＲ5は、アルキル基、アリール基、又は１価のトリアジン環基を表す。Ｒ5で表されるアルキル基には、置換又は無置換のアルキル基が含まれる。Ｒ5で表されるアルキル基としては、前述のＲ1で表される１価の基のうちのアルキル基について例示したものと、好ましいものを含めて同様のものを挙げることができる。Ｒ5で表されるアリール基には、置換又は無置換のアリール基が含まれる。Ｒ5で表されるアリール基としては、前述のＲ1で表される１価の基のうちのアリール基について例示したものと、好ましいものを含めて同様のものを挙げることができる。Ｒ5で表される１価のトリアジン環基には、置換又は無置換のトリアジン環基が含まれる。なお、Ｒ5の各基が置換基を有する場合、置換基としては、前述のＲ1で表される１価の基について例示したものと、好ましいものを含めて同様のものを挙げることができる。
【００７１】
一般式（Ｉ）中のＲ6は、アリーレン基又は２価のヘテロ環基を表す。Ｒ6で表されるアリーレン基には、置換又は無置換のアリーレン基が含まれる。置換若しくは無置換のアリーレン基としては、炭素数６乃至３０のアリーレン基が好ましい。置換基の例としては、前述のＲ1で表される１価の基について例示したものと同様のものを挙げることができる。前記アリーレン基としては、フェニレン、ナフチレンなどを挙げることができる。
【００７２】
Ｒ6で表される２価のヘテロ環基は５員環又は６員環であることが好ましい。これらの２価のヘテロ環はさらに縮環していてもよく、芳香族ヘテロ環であっても、非芳香族ヘテロ環であってもよい。一般的に、ヘテロ環基はＩ型とII型に分類することができる。Ｉ型のヘテロ環基は、酸性核として知られている。Ｉ型のヘテロ環基としては、５−ピラゾロン環、５−アミノピラゾール環、オキサゾロン環、バルビツール酸環、ピリドン環、ローダニン環、ピラゾリジンジオン環、ピラゾロピリドン環、メルドラム酸環などを挙げることができる。なかでも、５−ピラゾロン環、及び５−アミノピラゾール環が好ましい。II型のヘテロ環基は、塩基性核として知られている。II型のヘテロ環基としては、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどを挙げることができる。なかでも、芳香族ヘテロ環基が好ましく、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールがさらに好ましく、耐光性の観点からチアジアゾールが特に好ましい。２価のヘテロ環基は置換基を有していてもよい。置換基の例としては、前述のＲ1で表される１価の基について例示したものと同様のものを挙げることができる。
【００７３】
一般式（Ｉ）中のＲ7は、２価の連結基を表し、ｍは０又は１を表す。ｍが０である場合、２つのＲ6が互いに結合した構造であることを意味する。
【００７４】
Ｒ7で表される２価の連結基としては、メチレン、エチレン、プロピレン、ブチレン、ペンチレンなどのアルキレン基；エテニレン、プロぺニレンなどのアルケニレン基；エチニレン、プロピニレンなどのアルキニレン基；フェニレン、ナフチレンなどのアリーレン基；６−クロロ−１，３，５−トリアジン−２，４−ジイル基、ピリミジン−２，４−ジイル基、キノキサリン−２，３−ジイル基などの２価のヘテロ環基；−Ｏ−；−ＣＯ−；−ＮＲ9−（Ｒ9は水素原子、アルキル基又はアリール基）；−Ｓ−；−ＳＯ2−；−ＳＯ−；及びこれらの組み合わせなどを挙げることができる。
【００７５】
アルキレン基、アルケニレン基、アルキニレン基、アリーレン基、２価のヘテロ環基、Ｒ9で表されるアルキル基及びアリール基は、いずれも置換基を有していてもよい。置換基としては、前述のＲ1で表される１価の基について例示したものと同様のものを挙げることができる。Ｒ9で表されるアルキル基及びアリール基としては、前述のＲ1で表される１価の基のうちのアルキル基及びアリール基について例示したものと、好ましいものを含めて同様のものを挙げることができる。
【００７６】
一般式（Ｉ）中のＲ7は、炭素数１０以下のアルキレン基、炭素数１０以下のアルケニレン基、炭素数１０以下のアルキニレン基、炭素数６以上１０以下のアリーレン基、２価のヘテロ環基、−Ｏ−、−Ｓ−、又はこれらの組み合わせであることがさらに好ましい。これらのなかでも、−Ｓ−とアルキレン基との組み合わせであることが、一般式（Ｉ）で表される化合物の安定性の観点から特に好ましい。
【００７７】
Ｒ7で表される２価の連結基の総炭素数は、０乃至５０であることが好ましく、０乃至３０であることがさらに好ましく、０乃至１０であることが特に好ましい。
【００７８】
一般式（Ｉ）で表される化合物のなかでも、下記一般式（II）で表される化合物が好ましい。
【００７９】
2014051648.tif 000004
【００８０】
一般式（II）中、Ｒ1は１価の基を表し、Ｒ2は−ＯＲ3又は−ＮＨＲ4を表す（Ｒ3及びＲ4は水素原子又は１価の基を表す）。Ｒ6はアリーレン基又は２価のヘテロ環基を表し、Ｒ7は２価の連結基を表し、ｍは０又は１を表す。Ｒ8はイオン性基を表し、ｎは１又は２を表す。
【００８１】
一般式（II）中のＲ1乃至Ｒ4、Ｒ6、及びＲ7は、前記一般式（Ｉ）中のＲ1乃至Ｒ4、Ｒ6、及びＲ7と同義であり、好ましい基及びその組み合わせも、前記一般式（Ｉ）中のＲ1乃至Ｒ4、Ｒ6、及びＲ7と同様である。一般式（II）中、Ｒ8で表されるイオン性基は塩型であってもよい。イオン性基としては、カルボキシ基、スルホン酸基、リン酸基、ホスホン酸基などを挙げることができる。塩を形成する場合のカウンターイオンとしては、アルカリ金属；アンモニア（ＮＨ3）；有機アンモニウムなどのカチオンを挙げることができる。アルカリ金属としては、リチウム、ナトリウム、カリウムなどを挙げることができる。有機アンモニウムとしては、メチルアミン、エチルアミンなどの炭素数１以上３以下のアルキルアミン類；モノエタノールアミン、ジエタノールアミン、トリエタノールアミン、モノイソプロパノールアミン、ジイソプロパノールアミン、トリイソプロパノールアミンなどの炭素数１以上４以下のモノ、ジ又はトリアルカノールアミン類などの有機アンモニウムなどを挙げることができる。なお、一般式（Ｉ）で表される化合物が、１価の基や置換基としてイオン性基を有する場合にも、Ｒ8と同様に塩型であってもよく、この場合のカウンターイオンとしては、上述のカチオンと同様のものを挙げることができる。
【００８２】
本発明においては、一般式（Ｉ）で表される化合物が、以下の構造を有するものであることが特に好ましい。Ｒ2はアミノ基であることが好ましい。Ｒ6はヘテロ環基であることが好ましく、チアジアゾールであることがさらに好ましい。また、Ｒ7はアルキレン基又はヘテロ原子を含むアルキレン基であることが好ましく、ヘテロ原子を含むアルキレン基であることがさらに好ましい。
【００８３】
一般式（Ｉ）で表される化合物の好適例を遊離酸型で表すと、以下に示す例示化合物１〜４１を挙げることができる。勿論、本発明においては、一般式（Ｉ）の構造及びその定義に包含されるものであれば、以下に示す例示化合物に限定されない。本発明においては、以下に示す例示化合物のなかでも、例示化合物１０〜２２、２７〜３１、３３、３４、４１が好ましく、例示化合物１１がさらに好ましい。
【００８４】
2014051648.tif 000005
【００８５】
2014051648.tif 000006
【００８６】
2014051648.tif 000007
【００８７】
2014051648.tif 000008
【００８８】
2014051648.tif 000009
【００８９】
2014051648.tif 000010
【００９０】
2014051648.tif 000011
【００９１】
2014051648.tif 000012
【００９２】
2014051648.tif 000013
【００９３】
2014051648.tif 000014
【００９４】
2014051648.tif 000015
【００９５】
2014051648.tif 000016
【００９６】
2014051648.tif 000017
【００９７】
2014051648.tif 000018
【００９８】
2014051648.tif 000019
【００９９】
2014051648.tif 000020
【０１００】
2014051648.tif 000021
【０１０１】
2014051648.tif 000022
【０１０２】
2014051648.tif 000023
【０１０３】
2014051648.tif 000024
【０１０４】
2014051648.tif 000025
【０１０５】
2014051648.tif 000026
【０１０６】
2014051648.tif 000027
【０１０７】
2014051648.tif 000028
【０１０８】
2014051648.tif 000029
【０１０９】
2014051648.tif 000030
【０１１０】
2014051648.tif 000031
【０１１１】
2014051648.tif 000032
【０１１２】
2014051648.tif 000033
【０１１３】
2014051648.tif 000034
【０１１４】
2014051648.tif 000035
【０１１５】
2014051648.tif 000036
【０１１６】
2014051648.tif 000037
【０１１７】
2014051648.tif 000038
【０１１８】
2014051648.tif 000039
【０１１９】
2014051648.tif 000040
【０１２０】
2014051648.tif 000041
【０１２１】
2014051648.tif 000042
【０１２２】
2014051648.tif 000043
【０１２３】
2014051648.tif 000044
【０１２４】
2014051648.tif 000045
【０１２５】
（色材の検証方法）
本発明で用いる色材（一般式（Ｉ）で表される化合物）が各インク中に含まれているか否かを検証するには、高速液体クロマトグラフィー（ＨＰＬＣ）を用いた下記（１）〜（３）の検証方法を適用することができる。
（１）ピークの保持時間
（２）（１）のピークについての極大吸収波長
（３）（１）のピークについてのマススペクトルのＭ／Ｚ（ｐｏｓｉ）、Ｍ／Ｚ（ｎｅｇａ）
【０１２６】
高速液体クロマトグラフィーの分析条件は、以下に示す通りである。純水で約１，０００倍に希釈した液体（インク）を測定用サンプルとする。そして、下記の条件で高速液体クロマトグラフィーでの分析を行い、ピークの保持時間（ｒｅｔｅｎｔｉｏｎ  ｔｉｍｅ）、及びピークの極大吸収波長を測定する。
・カラム：ＳｕｎＦｉｒｅ  Ｃ１８（日本ウォーターズ製）２．１ｍｍ×１５０ｍｍ
・カラム温度：４０℃
・流速：０．２ｍＬ／ｍｉｎ
・ＰＤＡ：２００ｎｍ〜７００ｎｍ
・移動相及びグラジエント条件：表１
【０１２７】
2014051648.tif 000046
【０１２８】
また、マススペクトルの分析条件は以下に示す通りである。得られたピークについて、下記の条件でマススペクトルを測定し、最も強く検出されたＭＺをｐｏｓｉ及びｎｅｇａのそれぞれに対して測定する。
・イオン化法：ＥＳＩ
・キャピラリ電圧：３．５ｋＶ
・脱溶媒ガス：３００℃
・イオン源温度：１２０℃
・検出器：
ｐｏｓｉ；４０Ｖ  ２００〜１５００ａｍｕ／０．９ｓｅｃ
ｎｅｇａ；４０Ｖ  ２００〜１５００ａｍｕ／０．９ｓｅｃ
【０１２９】
上記した方法及び条件下で、一般式（Ｉ）で表される化合物の具体例である例示化合物１１について測定を行った。その結果、得られた保持時間、極大吸収波長、Ｍ／Ｚ（ｐｏｓｉ）、及びＭ／Ｚ（ｎｅｇａ）の値を表２に示す。未知のインクについて、上記と同様の方法及び条件下で測定を行って、得られた測定値が表２に示す値に該当する場合、本発明のインクに用いる一般式（Ｉ）で表される化合物を含有すると判断することができる。
【０１３０】
2014051648.tif 000047
【０１３１】
（エチレン尿素）
本発明のインクに含有させる水溶性有機溶剤には、エチレン尿素が含まれる。エチレン尿素は常温（２５℃）で固体であるが、エチレン尿素を含む水溶液は、他の一般的な水溶性有機溶剤と同様に色材を溶解するための溶媒となりうるため、本発明においてはエチレン尿素を水溶性有機溶剤に含めることとする。インク全質量を基準とした、色材（一般式（Ｉ）で表される化合物）の含有量Ａ（質量％）、及びエチレン尿素の含有量Ｂ（質量％）は、０．２０≦Ｂ／Ａ≦１０．０の関係を満たすことを要する。さらには、１．０≦Ｂ／Ａ≦５．０の関係を満たすことが好ましい。また、インク中のエチレン尿素の含有量（質量％）は、インク全質量を基準として、０．１質量％以上１５．０質量％以下であることが好ましく、５．０質量％以上１５．０質量％以下であることがさらに好ましい。特には、７．０質量％以上１２．０質量％以下であることが好ましい。
【０１３２】
（アルカンジオール）
本発明のインクに含有させる水溶性有機溶剤には、炭素数４以上６以下のアルカンジオールが含まれる。アルカンジオールの炭素数が３以下であると、一般式（Ｉ）で表される化合物（色材）に対する貧溶媒としての作用が低くなる。このため、色材を凝集させにくくなり、画像の耐光性及び耐オゾン性が不十分となる。また、後退現象も生じにくくなるため、間欠吐出安定性も不十分となる。一方、アルカンジオールの炭素数が７以上であると、貧溶媒としての作用を示すものの、インクの粘度が過度に高くなりすぎて間欠吐出安定性が不十分となる。
【０１３３】
インク全質量を基準とした、一般式（Ｉ）で表される化合物（色材）の含有量Ａ（質量％）、及び炭素数４以上６以下のアルカンジオールの含有量Ｃ（質量％）が、０．１０≦Ｃ／Ａ≦１０．０の関係を満たすことを要する。さらには、０．５０≦Ｃ／Ａ≦５．０の関係を満たすことが好ましい。また、インク中の炭素数４以上６以下のアルカンジオールの含有量（質量％）は、インク全質量を基準として、０．１質量％以上１０．０質量％以下であることが好ましく、１．０質量％以上８．０質量％以下であることがさらに好ましい。特には、３．０質量％以上６．０質量％以下であることが好ましい。
【０１３４】
好適に使用することができるアルカンジオールとしては、２−メチル−１，３−プロパンジオール、２−エチル−１，３−プロパンジオール、２，２−ジメチル−１，３−プロパンジオール、２，２−ジエチル−１，３−プロパンジオール、２−メチル−２−プロピル−１，３−プロパンジオール、１，２−ブタンジオール、１，３−ブタンジオール、１，４−ブタンジオール、２，３−ブタンジオール，３−メチル−１，３−ブタンジオール、１，２−ペンタンジオール、１，４−ペンタンジオール、１，５−ペンタンジオール、２−メチル−１，５−ペンタンジオール、３−メチル−１，５−ペンタンジオール、１，２−ヘキサンジオール、１，５−ヘキサンジオール、１，６−ヘキサンジオールなどを挙げることができる。
【０１３５】
さらに好適なアルカンジオールとしては、主鎖の両末端にヒドロキシ基を有する化合物を挙げることができる。アルカンジオールが、その主鎖の両末端にヒドロキシ基を有する化合物ではない場合（例えば、１，２−ヘキサンジオールなど）、間欠吐出安定性を向上させる効果が十分に得られない場合がある。なお、本発明における「アルカンジオールの主鎖」とは、分子構造中の最も長い炭化水素鎖のことを意味する。
【０１３６】
アルカンジオールとしては、１，５−ペンタンジオール、３−メチル−１，５−ペンタンジオール、１，６−ヘキサンジオールが好ましい。これらの化合物を用いることで、より優れた耐光性及び耐オゾン性を有する画像を記録可能であるとともに、さらに間欠吐出安定性に優れたインクを得ることができる。
【０１３７】
なかでも、アルカンジオールとしては１，５−ペンタンジオールが特に好ましい。１，５−ペンタンジオールを用いることで、さらに高いレベルの耐オゾン性を有する画像を記録可能なインクとすることができる。本発明者らはこの理由を次のように考えている。前述のように、アルカンジオールは一般式（Ｉ）で表される化合物の貧溶媒であるため、前記化合物の凝集が促進されて、画像の耐オゾン性が向上する。この貧溶媒による凝集促進の作用は、水溶性有機溶剤の疎水性が高いほど大きい。したがって、アルカンジオールの炭素数が多いほど貧溶媒による凝集促進の作用が大きくなる傾向にある。一方、一般式（Ｉ）で表される化合物を含有する水溶液は、ｐＨの低下により急激に粘度が上昇するという特徴を有する。これは、一般式（Ｉ）で表される化合物がプロトンにより凝集させられやすいためであると推測される。一般的に、アルコールは炭素数が少ないほどプロトンを放出しやすいので、プロトンによる凝集という観点からは、炭素数が少ないアルカンジオールの方が一般式（Ｉ）で表される化合物を凝集させやすい傾向にある。これらのことから、１，５−ペンタンジオールは、疎水性とプロトン放出性とのバランスが良く、一般式（Ｉ）で表される化合物の凝集を促進する作用がアルカンジオールのなかで最も大きい。このため、１，５−ペンタンジオールを用いると、画像の耐オゾン性を特に効果的に向上させることができると考えられる。
【０１３８】
（一般式（III）で表される化合物）
水溶性有機溶剤には、下記一般式（III）で表される化合物がさらに含まれることが好ましい。インク中の一般式（III）で表される化合物の含有量（質量％）は、インク全質量を基準として、０．１質量％以上１５．０質量％以下であることが好ましく、３．０質量％以上１５．０質量％以下であることがさらに好ましい。特には、４．０質量％以上１２．０質量％以下であることが好ましい。
【０１３９】
2014051648.tif 000048
（前記一般式（III）中、Ｒ10は、それぞれ独立にヒドロキシアルキル基を表し、Ｒ11は−Ｓ（＝Ｏ）−又は−Ｓ（＝Ｏ）2−を表す）
【０１４０】
一般式（III）で表される化合物は、水性媒体への溶解性の観点から、Ｒ10で表されるヒドロキシアルキル基の炭素数が、それぞれ独立に１乃至１２であることが好ましい。一般式（III）で表される化合物の好適例としては、以下に示す化合物を挙げることができる。勿論、本発明においては、一般式（III）の構造及びその定義に包含されるものであれば、以下に示す化合物に限られるものではない。
【０１４１】
2014051648.tif 000049
【０１４２】
2014051648.tif 000050
【０１４３】
本発明においては、一般式（III）中の２つのＲ10が同一であることが好ましく、Ｒ10がいずれもヒドロキシエチル基であることがさらに好ましい。なかでも、一般式（III）で表される化合物は、ビス（２−ヒドロキシエチル）スルホンであることが特に好ましい。
【０１４４】
一般式（III）で表される化合物をインクに含有させることで、間欠吐出安定性をさらに向上させることができる。本発明者らはこの理由を次のように考えている。本発明においては、一般式（Ｉ）で表される化合物の貧溶媒であるアルカンジオールを用いる。記録ヘッドの吐出口から水が蒸発すると、吐出口近傍ではアルカンジオールの濃度が相対的に高くなり、一般式（Ｉ）で表される化合物の溶解度が低くなる。すると、一般式（Ｉ）で表される化合物は、記録ヘッドの吐出口近傍から、水が多く、より安定な溶解状態となりやすい、ノズル内部（共通液室）の方向に移動する（後退現象）。このようにして、吐出口近傍に存在する色材が減少し、インクの粘度上昇が抑制され、間欠吐出安定性が向上する。そして、一般式（III）で表される化合物をインクに含有させることで、この後退現象がより顕著に生じやすくなると考えられる。一般式（III）で表される化合物は、その分子構造中に−Ｓ（＝Ｏ）−又は−Ｓ（＝Ｏ）2−を有することから極性が高く、一般式（Ｉ）で表される化合物と高い親和性を有する。したがって、記録ヘッドの吐出口から水が蒸発した際に、一般式（Ｉ）で表される化合物の過度な会合を防ぐことで後退現象をさらに促進させ、結果としてインクの間欠吐出安定性を向上させていると考えられる。なお、一般式（III）で表される化合物は、一般式（Ｉ）で表される化合物と高い親和性を有するが、記録される画像の耐光性や耐オゾン性を低下させないことが、本発明者らの検討により判明している。その理由は、記録媒体において生ずる、インクの蒸発に伴う一般式（Ｉ）で表される化合物の凝集挙動には、エチレン尿素やアルカンジオールの影響が支配的であるためであると推測される。
【０１４５】
（一般式（IV）で表される界面活性剤）
本発明のインクは、下記一般式（IV）で表される界面活性剤をさらに含有することが好ましい。
【０１４６】
2014051648.tif 000051
（一般式（IV）中、４．０≦ｘ＋ｙ≦８．０である。）
【０１４７】
他の構造を有するアゾ色材と比較して、一般式（Ｉ）で表される化合物を用いた場合には、その構造に起因してアセチレングリコール系の界面活性剤の性能が十分に発揮されづらい。このため、エチレンオキサイド基の付加モル数の平均値が１０．０である、一般的なアセチレングリコール系の界面活性剤を用いてインクを所望の表面張力とするには、使用量を多くする必要があるため、インクの粘度が高くなりすぎてしまう。この問題を解決するべく、本発明者らが検討を行った結果、エチレンオキサイド基の付加モル数の平均値（ｘ＋ｙ）が４．０≦ｘ＋ｙ≦８．０であるアセチレングリコール系の界面活性剤を用いることが有効であることを見出した。４．０≦ｘ＋ｙ≦８．０であるアセチレングリコール系の界面活性剤を用いることで、界面活性剤の使用量を低減してインクの増粘を抑制しながら、間欠吐出安定性を向上させることができる。
【０１４８】
また、本発明者らは、一般式（Ｉ）で表される化合物、エチレン尿素、及びアルカンジオールを含有する本発明のインクに、一般式（IV）で表される界面活性剤を用いた場合に、間欠吐出安定性の向上効果が予想を遥かに超えて得られることを見出した。この理由を、本発明者らは次のように考えている。
【０１４９】
記録ヘッドの吐出口からインク中の水が蒸発すると、界面活性剤が気液界面に配向し、吐出口近傍に存在するインクの粘度が上昇し、間欠吐出安定性が低下しやすくなる。この界面活性剤の配向速度は、ｘ＋ｙの値が小さい、すなわち分子サイズが小さいか、疎水性が高いほど速い。したがって、ｘ＋ｙの値が小さい界面活性剤は、インクの間欠吐出安定性を向上させる観点からは不利である。ここで、インク中には保湿作用のあるエチレン尿素が存在するため、記録ヘッドの吐出口からのインク中の水の蒸発が抑制され、一般式（IV）で表される界面活性剤の界面への配向が顕著に抑制される。この際、水の蒸発を抑制することによって、界面活性剤の配向が抑制される作用は、もともと配向が速い、ｘ＋ｙの値が小さい界面活性剤を用いた場合ほど顕著に現れる。さらに、インク中のアルカンジオールと、ｘ＋ｙの値が小さく、疎水性が高い界面活性剤との高い親和性により、前記界面活性剤の配向速度も効果的に低下させられている。このように、各成分の相乗的な作用によって、間欠吐出安定性が顕著に向上するものと推測される。
【０１５０】
上述の通り、エチレンオキサイド基の付加モル数の平均値が４．０≦ｘ＋ｙ≦８．０である一般式（IV）で表される界面活性剤をインクに添加することにより、インクジェット用のインクとしての適度な表面張力と信頼性を両立させることができる。ｘ＋ｙの値が８．０を超えると、適度な表面張力にするためには、一般式（IV）で表される界面活性剤の含有量が増加するので、インクの間欠吐出安定性が低下する場合がある。一方、ｘ＋ｙの値が４．０未満であると、界面活性剤の疎水性が強すぎるため、インクの界面に配向しやくすなって間欠吐出安定性がやや低下する場合がある。また、ｘ＋ｙの値が４．０未満であると、界面活性剤の水に対する溶解度が低くなってしまい、界面活性剤が相分離する場合がある。なお、ｘ＋ｙ＝０である場合には、エチレンオキサイド基が存在しないことを意味する。
【０１５１】
一般式（IV）で表される界面活性剤の好適例としては、以下商品名で、アセチレノールＥ７０（ｘ＋ｙ＝７．０）、アセチレノールＥ６０（ｘ＋ｙ＝６．０）、アセチレノールＥ４０（ｘ＋ｙ＝４．０）など（以上、川研ファインケミカル製）；サーフィノール４４０（ｘ＋ｙ＝３．４）（日信化学工業製）などを挙げることができる。
【０１５２】
一般式（IV）で表される界面活性剤のエチレンオキサイド基の付加モル数の平均値とは、一般式（IV）で表される界面活性剤１モル当たりに付加した、エチレンオキサイド基の繰り返し単位（−ＣＨ2−ＣＨ2−Ｏ−）のモル数の平均値を意味する。エチレンオキサイド基の付加モル数は、液体クロマトグラフ質量分析（ＬＣ／ＭＳ）、ガスクロマトグラフ質量分析（ＧＣ／ＭＳ）などの一般的な分析手法により知ることができる。
【０１５３】
本発明においては、一般式（IV）で表される界面活性剤における、４．０≦ｘ＋ｙ≦８．０の範囲にあるエチレンオキサイド基の付加モル数の、全てのエチレンオキサイド基の付加モル数に対して占める割合（モル％）が、２５．０％以上であることが好ましい。上記の割合が２５．０％未満であると、ｘ＋ｙ＜４．０又は８．０＜ｘ＋ｙの界面活性剤が多く含まれることになる。したがって、水への溶解度の低い界面活性剤の含有量が多く、界面活性剤が分離しやすくなる、或いは所望の表面張力にするために添加する界面活性剤の量が多くなる。このため、優れたレベルの間欠吐出安定性が十分に得られない場合がある。
【０１５４】
４．０≦ｘ＋ｙ≦８．０の範囲にあるエチレンオキサイド基の付加モル数の、全てのエチレンオキサイド基の付加モル数に対して占める割合は、高速液体クロマトグラフィーにより得られるピーク面積から算出する。具体的には、前記割合は、（４．０≦ｘ＋ｙ≦８．０である界面活性剤のピーク面積）／（全てのｘ＋ｙの界面活性剤のピーク面積）×１００（％）の式に基づいて算出する。
高速液体クロマトグラフィーの分析条件は、以下に示す通りである。
・カラム：ＬｉＣｈｒｏｓｏｒｂ  ＤＩＯＬ  ５μｍ  （メルク製）４．６ｍｍ×２５０ｍｍ
・カラム温度：４０℃
・流速：１．０ｍＬ／ｍｉｎ
・検出器：ＲＩ−８０２０
・濃度：０．３ｇ／２０ｍＬ
・注入量：２０μＬ
・圧力：３．４ＭＰａ
・溶離液：ｎ−ヘキサン／イソプロピルアルコール＝８０／２０
【０１５５】
上記した方法及び条件下で、後述する実施例において使用した界面活性剤（いずれも商品名）について求めた、前記割合の値を以下に示す。
・アセチレノールＥ１００（ｘ＋ｙ＝１０．０）：５０．５％
・アセチレノールＥ７０  （ｘ＋ｙ＝７．０）：５７．１％
・アセチレノールＥ６０  （ｘ＋ｙ＝６．０）：５０．０％
・アセチレノールＥ４０  （ｘ＋ｙ＝４．０）：２９．３％
・アセチレノールＥ００  （ｘ＋ｙ＝０．０）：０．０％
【０１５６】
一般式（IV）で表される界面活性剤として、エチレンオキサイド基の付加モル数の平均値（ｘ＋ｙ）が互いに異なる複数種の化合物を用いる場合、エチレンオキサイド基の付加モル数の平均値（ｘ＋ｙ）は、それらの化合物の含有量に応じて決定される。ここで、エチレンオキサイド基の付加モル数の平均値が判明している化合物を組み合わせることで、形式上、所定の付加モル数の平均値の範囲を満たすことは可能である。しかし、付加モル数が小さい界面活性剤をあまり多くインクに含有させると、間欠吐出安定性という課題に対して、本発明の効果が十分には得られない場合があるためにあまり好ましくない。
【０１５７】
インク中の一般式（IV）で表される界面活性剤の含有量Ｄ（質量％）は、インクの表面張力を所望の値にするのに必要な含有量にすることが好ましい。また、一般式（IV）で表される界面活性剤におけるエチレンオキサイド基の付加モル数の平均値（ｘ＋ｙ）によって、含有量の好ましい範囲を決めればよい。具体的には、インク中の一般式（IV）で表される界面活性剤の含有量Ｄ（質量％）は、インク全質量を基準として、０．１質量％以上２．０質量％以下であることが好ましく、この範囲に入るようにｘ＋ｙの値を選択することが好ましい。特には、０．５質量％以上１．０質量％以下であることが好ましく、この範囲に入るようにｘ＋ｙの値を選択することがより好ましい。
【０１５８】
本発明においては、インク全質量を基準とした、一般式（IV）で表される界面活性剤の含有量Ｄ（質量％）、エチレン尿素の含有量Ｂ（質量％）、及びアルカンジオールの含有量Ｃ（質量％）が、以下の関係を満たすことが好ましい。すなわち、本発明のインクは、Ｄ／（Ｂ＋Ｃ）≦０．４０の関係を満たすことが好ましい。Ｄ／（Ｂ＋Ｃ）の値は０．２０以下であることがさらに好ましく、０．１０以下であることが特に好ましい。Ｄ／（Ｂ＋Ｃ）の値が０．４０を超えると、一般式（IV）で表される界面活性剤が多くなりすぎて、間欠吐出安定性の向上効果が十分に得られない場合がある。また、一般式（IV）で表される界面活性剤を使用する効果を十分に得るためには、０．００３≦Ｄ／（Ｂ＋Ｃ）の関係を満たすことが好ましい。特には、Ｄ／（Ｂ＋Ｃ）の値が０．０１以上であることが好ましい。
【０１５９】
なお、特許文献３には、特定のアゾ色材と、アルカンジオールと、エチレンオキサイド基の付加モル数の合計が０以上８．０以下であるアセチレングリコール系の界面活性剤とを併用することで、インクの間欠吐出安定性を向上させることが記載されている。しかし、特許文献３に記載された条件を満たすインクを本発明者らが調製し、その間欠吐出安定性を評価したところ、本発明者らが求めるレベルの間欠吐出安定性を有しないことが判明した。その理由は、特許文献３において用いられているアルカンジオールは、前記特定の色材に対する良溶媒であるためであると考えられる。
【０１６０】
（水性媒体）
本発明のインクには、水、又は水及び水溶性有機溶剤の混合溶媒である水性媒体を用いることができる。本発明においては、水性媒体として少なくとも水を含有する、水性のインクとすることが好ましい。水は、脱イオン水（イオン交換水）を用いることが好ましい。インク中の水の含有量（質量％）は、インク全質量を基準として、１０．０質量％以上９０．０質量％以下であることが好ましい。
【０１６１】
水溶性有機溶剤は、水溶性であれば特に制限はなく、アルコール、多価アルコール、ポリグリコール、グリコールエーテル、含窒素極性溶媒、含硫黄極性溶媒などを用いることができる。インク中の水溶性有機溶剤の含有量（質量％）は、インク全質量を基準として、５．０質量％以上９０．０質量％以下、さらには１０．０質量％以上５０．０質量％以下であることが好ましい。なお、この含有量は、エチレン尿素及び炭素数４以上６以下のアルカンジオール、また、必要に応じて使用しうる一般式（III）で表される化合物の含有量を含む値である。水溶性有機溶剤の含有量が上記した範囲を外れると、高いレベルのインクの吐出安定性が十分に得られない場合がある。
（その他の添加剤）
【０１６２】
本発明のインクは、上記した成分以外にも必要に応じて、トリメチロールプロパン、トリメチロールエタンなどの多価アルコール類や、尿素やその誘導体などの、常温で固体の水溶性有機化合物を含有してもよい。さらに、本発明のインクは、必要に応じて、界面活性剤、ｐＨ調整剤、防錆剤、防腐剤、防黴剤、酸化防止剤、還元防止剤、蒸発促進剤、キレート化剤、及び水溶性樹脂など、種々の添加剤を含有してもよい。
【０１６３】
（その他のインク）
フルカラーの画像などを形成するために、本発明のインクと、本発明のインクとは別の色相を有するその他のインクとを組み合わせて用いることができる。その他のインクとしては、例えば、ブラックインク、シアンインク、マゼンタインク、イエローインク、レッドインク、グリーンインク、及びブルーインクからなる群より選択される少なくとも一種のインクを挙げることができる。また、これらのインクと実質的に同一の色相を有する、いわゆる淡インクをさらに組み合わせて用いることもできる。その他のインクや淡インクに用いられる色材は、公知の染料であっても、新規に合成された染料であってもよい。
【０１６４】
（インクの物性）
本発明のインクの２５℃における表面張力は、１０ｍＮ／ｍ以上６０ｍＮ／ｍ以下であることが好ましく、２０ｍＮ／ｍ以上６０ｍＮ／ｍ以下であることがさらに好ましく、３０ｍＮ／ｍ以上４０ｍＮ／ｍ以下であることが特に好ましい。インクの表面張力を上記した範囲内とすることで、インクジェット方式に適用した際に吐出口近傍の濡れによる吐出よれ（インクの着弾点のズレ）などの発生を有効に抑制することが可能となる。インクの表面張力は、インク中の界面活性剤や水溶性有機溶剤などの含有量を適宜設定することで調整することができる。また、インクジェット方式の記録ヘッドの吐出口から吐出する際に良好な吐出特性が得られるように、インクの粘度を調整することが好ましい。本発明のインクの２５℃における粘度は、１．０ｍＰａ・ｓ以上５．０ｍＰａ・ｓであることが好ましく、１．０ｍＰａ・ｓ以上３．０ｍＰａ・ｓ以下であることがさらに好ましい。
【０１６５】
＜インクカートリッジ＞
本発明のインクカートリッジは、インクと、このインクを収容するインク収容部とを備える。そして、このインク収容部に収容されているインクが、上記で説明した本発明のインクである。図１は、本発明のインクカートリッジの一実施形態を模式的に示す断面図である。図１に示すように、インクカートリッジの底面には、記録ヘッドにインクを供給するためのインク供給口１２が設けられている。インクカートリッジの内部はインクを収容するためのインク収容部となっている。インク収容部は、インク収容室１４と、吸収体収容室１６とで構成されており、これらは連通口１８を介して連通している。また、吸収体収容室１６はインク供給口１２に連通している。インク収容室１４には液体のインク２０が収容されており、吸収体収容室１６には、インクを含浸状態で保持する吸収体２２及び２４が収容されている。インク収容部は、液体のインクを収容するインク収容室を持たず、収容されるインク全量を吸収体により保持する形態であってもよい。また、インク収容部は、吸収体を持たず、インクの全量を液体の状態で収容する形態であってもよい。さらには、インク収容部と記録ヘッドとを有するように構成された形態のインクカートリッジとしてもよい。
【０１６６】
＜インクジェット記録方法＞
本発明のインクジェット記録方法は、上記で説明した本発明のインクをインクジェット方式の記録ヘッドから吐出して記録媒体に画像を記録する方法である。インクを吐出する方式としては、インクに力学的エネルギーを付与する方式や、インクに熱エネルギーを付与する方式が挙げられる。本発明においては、インクに熱エネルギーを付与してインクを吐出する方式を採用することが特に好ましい。本発明のインクを用いること以外、インクジェット記録方法の工程は公知のものとすればよい。
【０１６７】
図２は、本発明のインクジェット記録方法に用いられるインクジェット記録装置の一例を模式的に示す図であり、（ａ）はインクジェット記録装置の主要部の斜視図、（ｂ）はヘッドカートリッジの斜視図である。インクジェット記録装置には、記録媒体３２を搬送する搬送手段（不図示）、及びキャリッジシャフト３４が設けられている。キャリッジシャフト３４にはヘッドカートリッジ３６が搭載可能となっている。ヘッドカートリッジ３６は記録ヘッド３８及び４０を具備しており、インクカートリッジ４２がセットされるように構成されている。ヘッドカートリッジ３６がキャリッジシャフト３４に沿って主走査方向に搬送される間に、記録ヘッド３８及び４０から記録媒体３２に向かってインク（不図示）が吐出される。そして、記録媒体３２が搬送手段（不図示）により副走査方向に搬送されることによって、記録媒体３２に画像が記録される。
【実施例】
【０１６８】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【０１６９】
＜色材の準備＞
（化合物Ａ）
（ａ）
下記式（１）で表される化合物１３．３ｇをメタノール１００ｍＬに溶解させて得た溶液に、水酸化カリウム４．５ｇを水に溶解させて得た水溶液２０ｍＬと、１，２−ジブロムエタン１０．０ｇとを加えた。２時間還流した後、析出した結晶をろ過して下記式（２）で表される化合物１３．０ｇを得た。
【０１７０】
2014051648.tif 000052
【０１７１】
2014051648.tif 000053
【０１７２】
（ｂ）
下記式（３）で表される化合物５９．８ｇ、ピバロイルアセトニトリル３２．０ｇ、炭酸水素ナトリウム６５．０ｇ、水３４０ｍＬ、及びエタノール３４０ｍＬの混合液を２時間加熱した後、塩酸６０ｍＬを加えた。さらに２時間加温した後、析出した結晶をろ過して下記式（４）で表される化合物６１．０ｇを得た。
【０１７３】
2014051648.tif 000054
【０１７４】
2014051648.tif 000055
【０１７５】
（ｃ）
前記手順（ｂ）で得た式（４）で表される化合物６．０ｇ、メタノール８０ｍＬ、及び酢酸ソーダ３０ｇの混合液を１０℃以下に冷却した。また、前記手順（ａ）で得た式（２）で表される化合物３．０ｇ及び亜硝酸ナトリウムを混合してジアゾ液を得た。このジアゾ液を１０℃以下で混合液に加え、室温で２時間撹拌した。析出した結晶をろ過した後、セファデックス（商品名）を用いたカラムクロマトグラフィーにより精製し、さらに塩酸を添加してｐＨを１．０以下に調整して、遊離酸型として下記式（５）で表される化合物Ａ  ４．３ｇを得た。
【０１７６】
2014051648.tif 000056
【０１７７】
（ｄ）
前記手順（ｃ）で得た遊離酸型の化合物Ａに水酸化カリウム水溶液を添加してｐＨを８．０に調整し、カリウム塩型の化合物Ａを得た。
【０１７８】
（比較化合物Ａ）
国際公開第２００８／０５３７７６号の記載を参考にして、遊離酸型として下記式（６）で表される化合物のナトリウム塩を合成した。
【０１７９】
2014051648.tif 000057
【０１８０】
＜インクの調製＞
表３−１〜３−４の上段に示す各成分（単位：％）を混合し、十分に撹拌した後、ポアサイズ０．２０μｍのフィルターで加圧ろ過して各インクを調製した。なお、表３−１〜３−４中の「アセチレノールＥ１００」、「アセチレノールＥ７０」、「アセチレノールＥ６０」、「アセチレノールＥ４０」、及び「アセチレノールＥ００」は、いずれも一般式（IV）で表される構造を有する界面活性剤である。これらはいずれも川研ファインケミカル製の界面活性剤の商品名である。これらの界面活性剤は、川研ファインケミカル製のノニオン性界面活性剤であり、括弧内に「ｘ＋ｙ」の値を示した。さらに、表３−１〜３−４の下段には、各インクの「Ｂ／Ａの値」、「Ｃ／Ａの値」、「Ｄ／（Ｂ＋Ｃ）の値」、「ｘ＋ｙの平均値」、及び「特定の界面活性剤の割合」を示した。なお、「特定の界面活性剤の割合」とは、一般式（IV）で表される界面活性剤における、４．０≦ｘ＋ｙ≦８．０の範囲にあるエチレンオキサイド基の付加モル数の、全てのエチレンオキサイド基の付加モル数に対して占める割合（モル％）、を意味する。
【０１８１】
2014051648.tif 000058
【０１８２】
2014051648.tif 000059
【０１８３】
2014051648.tif 000060
【０１８４】
2014051648.tif 000061
【０１８５】
＜評価＞
上記で得られた各インクをそれぞれインクカートリッジに充填し、熱エネルギーの作用により記録ヘッドからインクを吐出するインクジェット記録装置（商品名「ＰＩＸＵＳ  ｉＰ８６００」、キヤノン製）に搭載した。本実施例においては、１／６００インチ×１／６００インチの単位領域に２２ｎｇのインクを付与して記録したベタ画像を「記録デューティが１００％である」と定義する。耐光性及び耐オゾン性の評価には、分光光度計（商品名「Ｓｐｅｃｔｒｏｌｉｎｏ」、Ｇｒｅｔａｇ  Ｍａｃｂｅｔｈ製）を用いて、光源：Ｄ５０、視野：２°の条件で光学濃度を測定した。本発明においては、下記の各項目の評価基準で、Ｂ、Ｃ（、Ｄ）を許容できないレベル、（ＡＡ、）Ａを許容できるレベルとした。評価結果を表４に示す。
【０１８６】
（耐光性）
上記のインクジェット記録装置を用いて、温度２３℃、相対湿度５５％の環境で、記録媒体（商品名「キヤノン写真用紙・光沢プロ［プラチナグレード］ＰＴ１０１」、キヤノン製）に、記録デューティが１００％であるベタ画像を記録した記録物を作製した。得られた記録物を、温度２３℃、相対湿度５５％の環境で２４時間乾燥させた。得られた記録物におけるベタ画像の光学濃度を測定した（耐光性試験前の光学濃度）。この記録物をスーパーキセノン試験機（商品名「ＳＸ−７５」、スガ試験機製）中に載置し、槽内温度２４℃、相対湿度６０％、照射強度１００キロルクスで１６８時間、キセノン光の照射を行った。その後、記録物におけるベタ画像の光学濃度を測定した（耐光性試験後の光学濃度）。得られた耐光性試験前の光学濃度及び耐光性試験後の光学濃度の値から、光学濃度の残存率＝耐光性試験後の光学濃度／耐光性試験前の光学濃度×１００％を算出し、以下に示す評価基準にしたがって耐光性を評価した。
Ａ：光学濃度の残存率が８０％以上であった。
Ｂ：光学濃度の残存率が７５％以上８０％未満であった。
Ｃ：光学濃度の残存率が７０％以上７５％未満であった。
Ｄ：光学濃度の残存率が７０％未満であった。
【０１８７】
（耐オゾン性）
上記のインクジェット記録装置を用いて、温度２３℃、相対湿度５５％の環境で、記録媒体（商品名「キヤノン写真用紙・光沢プロ［プラチナグレード］ＰＴ１０１」、キヤノン製）に、記録デューティが５０％であるベタ画像を記録した記録物を作製した。得られた記録物を、温度２３℃、相対湿度５５％の環境で２４時間乾燥させた。得られた記録物におけるベタ画像の光学濃度を測定した（耐オゾン性試験前の光学濃度）。この記録物をオゾン試験装置（商品名「ＯＭＳ−Ｈ」、スガ試験機製）中に載置し、槽内温度２３℃、相対湿度６０％、オゾンガス濃度１０ｐｐｍで２４時間、オゾン曝露を行った。その後、記録物におけるベタ画像の光学濃度を測定した（耐オゾン性試験後の光学濃度）。得られた耐オゾン性試験前の光学濃度及び耐オゾン性試験後の光学濃度の値から、光学濃度の残存率＝耐オゾン性試験後の光学濃度／耐オゾン性試験前の光学濃度×１００％を算出し、以下に示す評価基準にしたがって耐オゾン性を評価した。
ＡＡ：光学濃度の残存率が９４％以上であった。
Ａ：光学濃度の残存率が９２％以上９４％未満であった。
Ｂ：光学濃度の残存率が９０％以上９２％未満であった。
Ｃ：光学濃度の残存率が８５％以上９０％未満であった。
Ｄ：光学濃度の残存率が８５％未満であった。
【０１８８】
（間欠吐出安定性）
上記のインクジェット記録装置を改造したものに、インクカートリッジを搭載し、温度１５℃、相対湿度１０％の環境で以下の操作を行った。このインクジェット記録装置を、記録ヘッドの吐出口近傍に存在するインクの温度が上昇しないようにしたまま、５時間以上吐出を行わないで放置した後、インクを吐出させた。その後、インクの吐出を５秒間休止した後、記録ヘッドの回復動作などを行わずにインクを再び吐出させ、記録媒体（商品名「ＨＲ−１０１」、キヤノン製）に、縦罫線を記録した記録物を作製した。得られた記録物の縦罫線を目視で確認し、以下に示す評価基準にしたがって間欠吐出安定性を評価した。
ＡＡ：罫線の乱れがなかった。
Ａ：各ドットの位置にバラツキがあり、罫線が波打っていた。
Ｂ：ドットとドットの間に隙間ができていた。
【０１８９】
2014051648.tif 000062
【０１９０】
比較例１４のインクを密閉容器に入れて温度６０℃の環境で１２時間放置したところ、インクの表面に油状の成分が分離していた。また、このインクは放置前と比べて表面張力が２ｍＮ／ｍ上昇していた。比較例１４のインク中の染料と界面活性剤との親和性が低いため、界面活性剤が分離したと考えられる。このように、ｘ＋ｙの平均値が４．０≦ｘ＋ｙ≦８．０の範囲にある界面活性剤は疎水性が高いため、一般式（Ｉ）で表される化合物ではない一般的な染料と組み合わせると分離してしまうことが多い。
【図１】
2014051648.tif 000068
【図２】
2014051648.tif 000069